(57)【要約】  上りチャネルを送受信する方法及びデバイスが提供される。この方法は、端末デバイスが第１のキャリアの第１の時間ユニットでの第１の伝送リソースを決定するステップと、前記端末デバイスが前記第１の伝送リソースを通じて第１の上りチャネルを送信するステップを含み、前記第１の伝送リソースは前記第１の上りチャネルを伝送するために使用され、前記第１の伝送リソースは周波数領域においてＮ個の周波数領域ユニットを占め、Ｎは正の整数で、Ｎ≧２である。本発明の実施例における上りチャネル送信方法により、端末デバイスは送信電力をより効果的に使用することができる。
2021520708.tif 000002
【特許請求の範囲】
【請求項１】
端末デバイスが第１のキャリアの第１の時間ユニットでの第１の伝送リソースを決定するステップと、
前記端末デバイスが前記第１の伝送リソースを通じて第１の上りチャネルを送信するステップ、を含み、
前記第１の伝送リソースは前記第１の上りチャネルを伝送するために使用され、前記第１の伝送リソースは周波数領域においてＮ個の周波数領域ユニットを占め、Ｎは正の整数で、Ｎ≧２であることを特徴とする上りチャネルの送信方法。
【請求項２】
前記Ｎ個の周波数領域ユニットにおける最初の周波数領域ユニットと最後の周波数領域ユニットとの間の周波数領域間隔は、第１の帯域幅以下であることを特徴とする請求項１に記載の方法。
【請求項３】
前記Ｎ個の周波数領域ユニットによって占有される帯域幅が、第１の帯域幅以下であることを特徴とする請求項１又は２に記載の方法。
【請求項４】
前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表すことを特徴とする請求項２又は３に記載の方法。
【請求項５】
前記第１の帯域幅は第２の帯域幅より小さく、前記第２の帯域幅は、前記端末デバイスのために前記ネットワークデバイスによって構成される上り伝送用の帯域幅であることを特徴とする請求項２から４のいずれか一項に記載の方法。
【請求項６】
前記Ｎ個の周波数領域ユニットのうちの少なくとも２つの隣接する周波数領域ユニットが、周波数領域において不連続であることを特徴とする請求項１から５のいずれか一項に記載の方法。
【請求項７】
Ｎ＞２であり、前記Ｎ個の周波数領域ユニット内の任意の２つの隣接する周波数領域ユニット間の周波数領域間隔が等しいことを特徴とする請求項６に記載の方法。
【請求項８】
前記第１の上りチャネルは、物理ランダムアクセスチャネルＰＲＡＣＨ及び物理上り制御チャネルＰＵＣＣＨのうちの少なくとも１つを含むことを特徴とする請求項１から７のいずれか一項に記載の方法。
【請求項９】
前記第１の伝送リソースは、第１のサブキャリア間隔に対応する伝送リソースであり、前記方法は、
前記端末デバイスが前記第１のキャリアの第２の時間ユニットにおける第２の伝送リソースを決定するステップと、
前記端末デバイスが前記第２の伝送リソースを通じて第２の上りチャネルを送信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＮ個の周波数領域ユニットを占め、前記第２のサブキャリア間隔は前記第１のサブキャリア間隔よりも大きいことを特徴とする請求項１から８のいずれか一項に記載の方法。
【請求項１０】
前記第１の伝送リソースは、第１のサブキャリア間隔に対応する伝送リソースであり、前記方法は、
前記端末デバイスが前記第１のキャリアの第２の時間ユニットにおける第２の伝送リソースを決定するステップと、
前記端末デバイスが前記第２の伝送リソースを通じて第２の上りチャネルを送信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きいことを特徴とする請求項１から８のいずれか一項に記載の方法。
【請求項１１】
前記第２の上りチャネルは、物理ランダムアクセスチャネルＰＲＡＣＨ及び物理上り制御チャネルＰＵＣＣＨのうちの少なくとも１つを含むことを特徴とする請求項９又は１０に記載の方法。
【請求項１２】
前記端末デバイスが第１のキャリアの第１の時間ユニットでの第１の伝送リソースを決定するステップは、
前記端末デバイスがネットワークデバイスによって送信された第１の指示情報を受信するステップと、
前記端末デバイスはが前記第１の指示情報に従って前記第１の伝送リソースを決定するステップを含み、
前記第１の指示情報は前記第１の伝送リソースを決定するために使用されることを特徴とする請求項１から１１のいずれか一項に記載の方法。
【請求項１３】
ネットワークデバイスが第１のキャリアの第１の時間ユニットでの第１の伝送リソースを決定するステップと、
前記ネットワークデバイスが前記第１の伝送リソースを通じて第１の上りチャネルを受信するステップを含み、
前記第１の伝送リソースは前記第１の上りチャネルを伝送するために使用され、前記第１の伝送リソースは周波数領域でＮ個の周波数領域ユニットを占め、Ｎは正の整数で、Ｎ≧２であることを特徴とする上りチャネルの受信方法。
【請求項１４】
前記Ｎ個の周波数領域ユニットにおける最初の周波数領域ユニットと最後の周波数領域ユニットとの間の周波数領域間隔は、第１の帯域幅以下であることを特徴とする請求項１３に記載の方法。
【請求項１５】
前記Ｎ個の周波数領域ユニットによって占有される帯域幅が、第１の帯域幅以下であることを特徴とする請求項１３又は１４に記載の方法。
【請求項１６】
前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表すことを特徴とする請求項１４又は１５に記載の方法。
【請求項１７】
前記第１の帯域幅は第２の帯域幅より小さく、前記第２の帯域幅は、前記端末デバイスのために前記ネットワークデバイスによって構成される上り伝送用の帯域幅であることを特徴とする請求項１４から１６のいずれか一項に記載の方法。
【請求項１８】
前記Ｎ個の周波数領域ユニットのうちの少なくとも２つの隣接する周波数領域ユニットが、周波数領域において不連続であることを特徴とする請求項１３から１７のいずれか一項に記載の方法。
【請求項１９】
Ｎ＞２であり、前記Ｎ個の周波数領域ユニット内の任意の２つの隣接する周波数領域ユニット間の周波数領域間隔が等しいことを特徴とする請求項１８に記載の方法。
【請求項２０】
前記第１の上りチャネルは、物理ランダムアクセスチャネルＰＲＡＣＨ及び物理上り制御チャネルＰＵＣＣＨのうちの少なくとも１つを含むことを特徴とする請求項１３から１９のいずれか一項に記載の方法。
【請求項２１】
前記第１の伝送リソースは、第１のサブキャリア間隔に対応する伝送リソースであり、前記方法は、
前記ネットワークデバイスが前記第１のキャリアの第２の時間ユニットにおける第２の伝送リソースを決定するステップと、
前記ネットワークデバイスが前記第２の伝送リソースを通じて第２の上りチャネルを受信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＮ個の周波数領域ユニットを占め、前記第２のサブキャリア間隔は前記第１のサブキャリア間隔よりも大きいことを特徴とする請求項１３から２０のいずれか一項に記載の方法。
【請求項２２】
前記第１の伝送リソースは、第１のサブキャリア間隔に対応する伝送リソースであり、前記方法は、
前記ネットワークデバイスが前記第１のキャリアの第２の時間ユニットにおける第２の伝送リソースを決定するステップと、
前記ネットワークデバイスが前記第２の伝送リソースを通じて第２の上りチャネルを受信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きいことを特徴とする請求項１３から２０のいずれか一項に記載の方法。
【請求項２３】
前記第２の上りチャネルは、物理ランダムアクセスチャネルＰＲＡＣＨ及び物理上り制御チャネルＰＵＣＣＨのうちの少なくとも１つを含むことを特徴とする請求項２１又は２２に記載の方法。
【請求項２４】
前記ネットワークデバイスが第１の指示情報を決定するステップと、
前記ネットワークデバイスが前記第１の指示情報を前記端末デバイスに送信するステップをさらに含み、
前記第１の指示情報は前記第１の伝送リソースを決定するために使用されることを特徴とする請求項１３から２３のいずれか一項に記載の方法。
【請求項２５】
第１のキャリアの第１の時間ユニットでの第１の伝送リソースを決定するように構成される処理ユニットと、
前記第１の伝送リソースを通じて第１の上りチャネルを送信するように構成される通信ユニットを備え、
前記第１の伝送リソースは前記第１の上りチャネルを伝送するために使用され、前記第１の伝送リソースは周波数領域においてＮ個の周波数領域ユニットを占め、Ｎは正の整数で、Ｎ≧２であることを特徴とする端末デバイス。
【請求項２６】
前記Ｎ個の周波数領域ユニットにおける最初の周波数領域ユニットと最後の周波数領域ユニットとの間の周波数領域間隔は、第１の帯域幅以下であることを特徴とする請求項２５に記載の端末デバイス。
【請求項２７】
前記Ｎ個の周波数領域ユニットによって占有される帯域幅が、第１の帯域幅以下であることを特徴とする請求項２５又は２６に記載の端末デバイス。
【請求項２８】
前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表すことを特徴とする請求項２６又は２７に記載の端末デバイス。
【請求項２９】
前記第１の帯域幅は第２の帯域幅より小さく、前記第２の帯域幅は、前記端末デバイスのために前記ネットワークデバイスによって構成される上り伝送用の帯域幅であることを特徴とする請求項２６から２８のいずれか一項に記載の端末デバイス。
【請求項３０】
前記Ｎ個の周波数領域ユニットのうちの少なくとも２つの隣接する周波数領域ユニットが、周波数領域において不連続であることを特徴とする請求項２５から２９のいずれか一項に記載の端末デバイス。
【請求項３１】
Ｎ＞２であり、前記Ｎ個の周波数領域ユニット内の任意の２つの隣接する周波数領域ユニット間の周波数領域間隔が等しいことを特徴とする請求項３０に記載の端末デバイス。
【請求項３２】
前記第１の上りチャネルは、物理ランダムアクセスチャネルＰＲＡＣＨ及び物理上り制御チャネルＰＵＣＣＨのうちの少なくとも１つを含むことを特徴とする請求項２５から３１のいずれか一項に記載の端末デバイス。
【請求項３３】
前記第１の伝送リソースは、第１のサブキャリア間隔に対応する伝送リソースであり、
前記処理ユニットは、前記第１のキャリアの第２の時間ユニットにおける第２の伝送リソースを決定し、前記第２の伝送リソースは第２のサブキャリア間隔に対応する伝送リソースであり、前記第２の伝送リソースは第２の上りチャネルを伝送するために使用され、前記第２の伝送リソースは周波数領域においてＮ個の周波数領域ユニットを占め、前記第２のサブキャリア間隔は前記第１のサブキャリア間隔よりも大きく、
前記通信ユニットは、前記第２の伝送リソースを通じて前記第２の上りチャネルを送信することを特徴とする請求項２５から３２のいずれか一項に記載の端末デバイス。
【請求項３４】
前記第１の伝送リソースは、第１のサブキャリア間隔に対応する伝送リソースであり、
前記処理ユニットは、前記第１のキャリアの第２の時間ユニットにおける第２の伝送リソースを決定し、前記第２の伝送リソースは第２のサブキャリア間隔に対応する伝送リソースであり、前記第２の伝送リソースは第２の上りチャネルを伝送するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きく、
前記通信ユニットは、前記第２の伝送リソースを通じて前記第２の上りチャネルを送信することを特徴とする請求項２５から３２のいずれか一項に記載の端末デバイス。
【請求項３５】
前記第２の上りチャネルは、物理ランダムアクセスチャネルＰＲＡＣＨ及び物理上り制御チャネルＰＵＣＣＨのうちの少なくとも１つを含むことを特徴とする請求項３３又は３４に記載の端末デバイス。
【請求項３６】
前記処理ユニットは具体的には、
ネットワークデバイスによって送信された第１の指示情報を受信し、前記第１の指示情報は前記第１の伝送リソースを決定するために使用され、
前記第１の指示情報に従って前記第１の伝送リソースを決定することを特徴とする請求項２５から３５のいずれか一項に記載の端末デバイス。
【請求項３７】
第１のキャリアの第１の時間ユニットでの第１の伝送リソースを決定するように構成される処理ユニットと、
前記第１の伝送リソースを通じて第１の上りチャネルを受信するように構成される通信ユニットを備え、
前記第１の伝送リソースは前記第１の上りチャネルを受信するために使用され、前記第１の伝送リソースは周波数領域でＮ個の周波数領域ユニットを占め、Ｎは正の整数で、Ｎ≧２であることを特徴とするネットワークデバイス。
【請求項３８】
前記Ｎ個の周波数領域ユニットにおける最初の周波数領域ユニットと最後の周波数領域ユニットとの間の周波数領域間隔は、第１の帯域幅以下であることを特徴とする請求項３７に記載のネットワークデバイス。
【請求項３９】
前記Ｎ個の周波数領域ユニットによって占有される帯域幅が、第１の帯域幅以下であることを特徴とする請求項３７又は３８に記載のネットワークデバイス。
【請求項４０】
前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表すことを特徴とする請求項３８又は３９に記載のネットワークデバイス。
【請求項４１】
前記第１の帯域幅は第２の帯域幅より小さく、前記第２の帯域幅は、前記端末デバイスのために前記ネットワークデバイスによって構成される上り伝送用の帯域幅であることを特徴とする請求項３８から４０のいずれか一項に記載のネットワークデバイス。
【請求項４２】
前記Ｎ個の周波数領域ユニットのうちの少なくとも２つの隣接する周波数領域ユニットが、周波数領域において不連続であることを特徴とする請求項３７から４１のいずれか一項に記載のネットワークデバイス。
【請求項４３】
Ｎ＞２であり、前記Ｎ個の周波数領域ユニット内の任意の２つの隣接する周波数領域ユニット間の周波数領域間隔が等しいことを特徴とする請求項４２に記載のネットワークデバイス。
【請求項４４】
前記第１の上りチャネルは、物理ランダムアクセスチャネルＰＲＡＣＨ及び物理上り制御チャネルＰＵＣＣＨのうちの少なくとも１つを含むことを特徴とする請求項３７から４３のいずれか一項に記載のネットワークデバイス。
【請求項４５】
前記第１の伝送リソースは、第１のサブキャリア間隔に対応する伝送リソースであり、
前記処理ユニットは、前記第１のキャリアの第２の時間ユニットにおける第２の伝送リソースを決定し、前記第２の伝送リソースは第２のサブキャリア間隔に対応する伝送リソースであり、前記第２の伝送リソースは第２の上りチャネルを受信するために使用され、前記第２の伝送リソースは周波数領域においてＮ個の周波数領域ユニットを占め、前記第２のサブキャリア間隔は前記第１のサブキャリア間隔よりも大きく、
前記通信ユニットは、前記第２の伝送リソースを通じて前記第２の上りチャネルを受信することを特徴とする請求項３７から４４のいずれか一項に記載のネットワークデバイス。
【請求項４６】
前記第１の伝送リソースは、第１のサブキャリア間隔に対応する伝送リソースであり、
前記処理ユニットは、前記第１のキャリアの第２の時間ユニットにおける第２の伝送リソースを決定し、前記第２の伝送リソースは第２のサブキャリア間隔に対応する伝送リソースであり、前記第２の伝送リソースは第２の上りチャネルを受信するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きく、
前記通信ユニットは、前記第２の伝送リソースを通じて前記第２の上りチャネルを受信することを特徴とする請求項３７から４４のいずれか一項に記載のネットワークデバイス。
【請求項４７】
前記第２の上りチャネルは、物理ランダムアクセスチャネルＰＲＡＣＨ及び物理上り制御チャネルＰＵＣＣＨのうちの少なくとも１つを含むことを特徴とする請求項４５又は４６に記載のネットワークデバイス。
【請求項４８】
前記処理ユニットは第１の指示情報を決定し、前記第１の指示情報は前記第１の伝送リソースを決定するために使用され、前記通信ユニットは前記第１の指示情報を前記端末デバイスに送信することを特徴とする請求項３７から４７のいずれか一項に記載のネットワークデバイス。
【発明の詳細な説明】
【技術分野】
【０００１】
本発明の実施例は、通信分野に関し、より具体的には、上りチャネルを送受信する方法及びデバイスに関する。
【背景技術】
【０００２】
ライセンスキャリアに新しい無線（New  Radio,  NR）システムが適用される場合、ライセンスキャリアでの信号伝送には最大送信電力スペクトル密度の制限がないので、端末デバイスは、上りカバレッジを確保するように、一つのリソースブロック（Resource  Block，RB）で当該端末デバイスの最大送信電力を使用して上り信号を伝送することができ、ライセンスキャリアでの上り信号の伝送は、最大送信電力スペクトル密度の制限について考慮されていない。
【０００３】
しかし、アンライセンススペクトルでは、アンライセンススペクトルのチャネルで伝送される信号のパワーが大きすぎて、レーダー信号などの当該チャネル上の他の重要な信号の伝送に影響を与えないようにするために、通信デバイスがアンライセンススペクトルのチャネルを信号伝送に使用する場合、最大送信電力スペクトル密度を超えないという制限に従う必要がある。アンライセンススペクトルへのNRの適用により、アンライセンススペクトルでの送信電力の要件、送信電力スペクトル密度の要件、及び上りカバレッジの要件を満たすために、上り信号の伝送をどのように設計するかは、検討に値する問題である。
【発明の概要】
【０００４】
上りチャネルを送受信する方法及びデバイスが提供され、それにより、端末デバイスは、アンライセンススペクトル上で上りチャネル伝送を実行するときに送信電力をより効果的に利用することができる。
【０００５】
第１の態様によれば、上りチャネルの送信方法が提供され、
端末デバイスが第１のキャリアの第１の時間ユニットでの第１の伝送リソースを決定するステップと、
前記端末デバイスが前記第１の伝送リソースを通じて第１の上りチャネルを送信するステップ、を含み、
前記第１の伝送リソースは前記第１の上りチャネルを伝送するために使用され、前記第１の伝送リソースは周波数領域においてＮ個の周波数領域ユニットを占め、Ｎは正の整数で、Ｎ≧２である。
【０００６】
本発明の実施例において、第１の上りチャネルを伝送するために少なくとも２つの周波数領域ユニットを割り当てることにより、最大送信電力スペクトル密度が制限されている条件で、上りチャネルの送信電力を増加させることができる。
【０００７】
いくつかの可能な実現形態で、前記Ｎ個の周波数領域ユニットにおける最初の周波数領域ユニットと最後の周波数領域ユニットとの間の周波数領域間隔は、第１の帯域幅以下である。
【０００８】
いくつかの可能な実現形態で、前記Ｎ個の周波数領域ユニットによって占有される帯域幅が、第１の帯域幅以下である。
【０００９】
いくつかの可能な実現形態で、前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表す。
【００１０】
本発明の実施例では、第1の上りチャネルを第1の帯域幅で伝送するように制限することで、端末デバイスが送信電力効率を失うことなく、より多くのチャネル伝送機会を取得できる。
【００１１】
いくつかの可能な実現形態で、前記第１の帯域幅は第２の帯域幅より小さく、前記第２の帯域幅は、前記端末デバイスのために前記ネットワークデバイスによって構成される上り伝送用の帯域幅である。
【００１２】
いくつかの可能な実現形態で、前記Ｎ個の周波数領域ユニットのうちの少なくとも２つの隣接する周波数領域ユニットが、周波数領域において不連続である。
【００１３】
いくつかの可能な実現形態で、Ｎ＞２であり、前記Ｎ個の周波数領域ユニット内の任意の２つの隣接する周波数領域ユニット間の周波数領域間隔が等しい。
【００１４】
いくつかの可能な実現形態で、前記第１の上りチャネルは、物理ランダムアクセスチャネルＰＲＡＣＨ及び物理上り制御チャネルＰＵＣＣＨのうちの少なくとも１つを含む。
【００１５】
いくつかの可能な実現形態で、前記第１の伝送リソースは、第１のサブキャリア間隔に対応する伝送リソースであり、前記方法は、
前記端末デバイスが前記第１のキャリアの第２の時間ユニットにおける第２の伝送リソースを決定するステップと、
前記端末デバイスが前記第２の伝送リソースを通じて第２の上りチャネルを送信するステップをさらに含み、
前記第２の伝送リソースは第２のサブキャリア間隔に対応する伝送リソースであり、前記第２の伝送リソースは前記第２の上りチャネルを送信するために使用され、前記第２の伝送リソースは周波数領域においてＮ個の周波数領域ユニットを占め、前記第２のサブキャリア間隔は前記第１のサブキャリア間隔よりも大きい。
【００１６】
いくつかの可能な実現形態で、前記第１の伝送リソースは、第１のサブキャリア間隔に対応する伝送リソースであり、前記方法は、
前記端末デバイスが前記第１のキャリアの第２の時間ユニットにおける第２の伝送リソースを決定するステップと、
前記端末デバイスが前記第２の伝送リソースを通じて第２の上りチャネルを送信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きい。
【００１７】
いくつかの可能な実現形態で、前記第２の上りチャネルは、物理ランダムアクセスチャネルＰＲＡＣＨ及び物理上り制御チャネルＰＵＣＣＨのうちの少なくとも１つを含む。
【００１８】
いくつかの可能な実現形態で、前記端末デバイスが第１のキャリアの第１の時間ユニットでの第１の伝送リソースを決定するステップは、
前記端末デバイスがネットワークデバイスによって送信された第１の指示情報を受信するステップと、
前記端末デバイスはが前記第１の指示情報に従って前記第１の伝送リソースを決定するステップを含み、
前記第１の指示情報は前記第１の伝送リソースを決定するために使用される。
【００１９】
第２の態様によれば、上りチャネルの受信方法が提供され、
ネットワークデバイスが第１のキャリアの第１の時間ユニットでの第１の伝送リソースを決定するステップと、
前記ネットワークデバイスが前記第１の伝送リソースを通じて第１の上りチャネルを受信するステップを含み、
前記第１の伝送リソースは前記第１の上りチャネルを伝送するために使用され、前記第１の伝送リソースは周波数領域でＮ個の周波数領域ユニットを占め、Ｎは正の整数で、Ｎ≧２である。
【００２０】
いくつかの可能な実現形態で、前記Ｎ個の周波数領域ユニットにおける最初の周波数領域ユニットと最後の周波数領域ユニットとの間の周波数領域間隔は、第１の帯域幅以下である。
【００２１】
いくつかの可能な実現形態で、前記Ｎ個の周波数領域ユニットによって占有される帯域幅が、第１の帯域幅以下である。
【００２２】
いくつかの可能な実現形態で、前記第１の帯域幅はＸであり、Ｘは以下の条件を満たし、
１０＊ｌｇ（Ｘ）＋Ｄ＝Ｐ
ここで、Ｄは前記第１のキャリアでの最大送信電力スペクトル密度を表し、単位はｄＢｍ/ＭＨｚであり、Ｐは前記第１のキャリアでの最大送信電力を表し、単位はＭＨｚであり、Ｘの単位はＭＨｚであり、ｌｇは１０を底とする対数を表す。
【００２３】
いくつかの可能な実現形態で、前記第１の帯域幅は第２の帯域幅より小さく、前記第２の帯域幅は、前記端末デバイスのために前記ネットワークデバイスによって構成される上り伝送用の帯域幅である。
【００２４】
いくつかの可能な実現形態で、前記Ｎ個の周波数領域ユニットのうちの少なくとも２つの隣接する周波数領域ユニットが、周波数領域において不連続である。
【００２５】
いくつかの可能な実現形態で、Ｎ＞２であり、前記Ｎ個の周波数領域ユニット内の任意の２つの隣接する周波数領域ユニット間の周波数領域間隔が等しい。
【００２６】
いくつかの可能な実現形態で、前記第１の上りチャネルは、物理ランダムアクセスチャネルＰＲＡＣＨ及び物理上り制御チャネルＰＵＣＣＨのうちの少なくとも１つを含む。
【００２７】
いくつかの可能な実現形態で、前記第１の伝送リソースは、第１のサブキャリア間隔に対応する伝送リソースであり、前記方法は、
前記ネットワークデバイスが前記第１のキャリアの第２の時間ユニットにおける第２の伝送リソースを決定するステップと、
前記ネットワークデバイスが前記第２の伝送リソースを通じて第２の上りチャネルを受信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＮ個の周波数領域ユニットを占め、前記第２のサブキャリア間隔は前記第１のサブキャリア間隔よりも大きい。
【００２８】
本発明の実施例では、ネットワークデバイスは、異なる時間に1つの端末デバイスに対して当該第１のサブキャリア間隔及び当該第２のサブキャリア間隔を構成することができ、異なる端末デバイスに対して異なるサブキャリア間隔を構成することもできることを理解されたい。
【００２９】
いくつかの可能な実現形態で、前記第１の伝送リソースは、第１のサブキャリア間隔に対応する伝送リソースであり、前記方法は、
前記ネットワークデバイスが前記第１のキャリアの第２の時間ユニットにおける第２の伝送リソースを決定するステップと、
前記ネットワークデバイスが前記第２の伝送リソースを通じて第２の上りチャネルを受信するステップをさらに含み、
前記第２の伝送リソースは第２のサブキャリア間隔に対応する伝送リソースであり、前記第２の伝送リソースは前記第２の上りチャネルを伝送するために使用され、前記第２の伝送リソースは周波数領域においてＭ個の周波数領域ユニットを占め、Ｍは正の整数で、Ｍ＞Ｎであり、前記第２のサブキャリア間隔は前記第１のサブキャリア間隔より大きい。
【００３０】
本発明の実施例では、ネットワークデバイスは、異なる時間に1つの端末デバイスに対して当該第１のサブキャリア間隔及び当該第２のサブキャリア間隔を構成することができ、異なる端末デバイスに対して異なるサブキャリア間隔を構成することもできることを理解されたい。
【００３１】
いくつかの可能な実現形態で、前記第２の上りチャネルは、物理ランダムアクセスチャネルＰＲＡＣＨ及び物理上り制御チャネルＰＵＣＣＨのうちの少なくとも１つを含む。
【００３２】
いくつかの可能な実現形態で、前記方法は、
前記ネットワークデバイスが第１の指示情報を決定するステップと、
前記ネットワークデバイスが前記第１の指示情報を前記端末デバイスに送信するステップをさらに含み、
前記第１の指示情報は前記第１の伝送リソースを決定するために使用される。
【００３３】
第３の態様によれば、上記の第１の態様又は第１の態様の任意の可能な実現形態における方法を実行する端末デバイスが提供される。具体的に、このデバイスは、上記の第１の態様又は第１の態様の任意の可能な実現形態における方法を実行するためのユニットを備える。
【００３４】
第４の態様によれば、上記の第２の態様又は第２の態様の任意の可能な実現形態における方法を実行するネットワークデバイスが提供される。具体的に、このデバイスは、上記の第２の態様又は第２の態様の任意の可能な実現形態における方法を実行するためのユニットを備える。
【００３５】
第５の態様によれば、メモリ、プロセッサー、入力インタフェース及び出力インタフェースを含む端末デバイスが提供される。ここで、上記メモリ、プロセッサー、入力インターフェース及び出力インターフェースは、バスシステムを介して接続される。上記メモリは命令を格納するために使用され、上記プロセッサーは上記メモリに格納された命令を実行するために使用され、上記第１の態様又は第１の態様の任意の可能な実現形態における方法を実行する。
【００３６】
第６の態様によれば、メモリ、プロセッサー、入力インタフェース及び出力インタフェースを含むネットワークデバイスが提供される。ここで、上記メモリ、プロセッサー、入力インターフェース及び出力インターフェースは、バスシステムを介して接続される。上記メモリは命令を格納するために使用され、上記プロセッサーは上記メモリに格納された命令を実行するために使用され、上記第２の態様又は第２の態様の任意の可能な実現形態における方法を実行する。
【００３７】
第７の態様によれば、コンピュータプログラムを格納するコンピュータ読取可能な媒体が提供され、上記コンピュータプログラムは、上記第１の態様または第２の態様の方法の実施例を実行するための命令を含む。
【００３８】
第８の態様によれば、入力インターフェース、出力インターフェース、少なくとも一つのプロセッサー、及びメモリを含むシステムチップが提供され、上記プロセッサーは、上記メモリに格納されたコードを実行するために使用され、上記コードが実行されると、上記プロセッサーは、前述の第１の態様及び各実現形態における上りチャネルの送信方法で端末デバイスによって実行される各プロセスを実現することができる。
【００３９】
第９の態様によれば、入力インターフェース、出力インターフェース、少なくとも一つのプロセッサー、及びメモリを含むシステムチップが提供され、上記プロセッサーは、上記メモリに格納されたコードを実行するために使用され、上記コードが実行されると、上記プロセッサーは、前述の第２の態様及び各実現形態における上りチャネルの受信方法でネットワークデバイスによって実行される各プロセスを実現することができる。
【００４０】
第１０の態様によれば、前記のネットワークデバイス及び前記の端末デバイスを備える通信システムが提供される。
【図面の簡単な説明】
【００４１】
【図１】本発明実施例に係る端末デバイスによって上りチャネルを送信する概略フローチャートである。
【図２】本発明実施例に係る第１の伝送リソースに含まれる周波数領域ユニットの概略図の一例である。
【図３】本発明実施例に係る第１の伝送リソースに含まれる周波数領域ユニットの概略図の別の例である。
【図４】本発明実施例に係る第１の伝送リソースに含まれる周波数領域ユニットの概略図の別の例である。
【図５】本発明実施例に係る第１の帯域幅及び第２の帯域幅の例示的な図の一例である。
【図６】本発明実施例に係る第１の伝送リソースに含まれる周波数領域ユニット及び第２の伝送リソースに含まれる周波数領域ユニットの概略図の一例である。
【図７】本発明実施例に係る第１の伝送リソースに含まれる周波数領域ユニット及び第２の伝送リソースに含まれる周波数領域ユニットの概略図の別の例である。
【図８】本発明実施例に係るネットワークデバイスによって上りチャネルを受信する概略的なフローチャートである。
【図９】本発明実施例に係る端末デバイスの概略ブロック図である。
【図１０】本発明実施例に係るネットワークデバイスの概略ブロック図である。
【図１１】本発明実施例に係る別の端末デバイスの概略ブロック図である。
【図１２】本発明実施例に係る別のネットワークデバイスの概略ブロック図である。
【発明を実施するための形態】
【００４２】
以下、本出願の実施例に係る図面を参照しながら、本出願における技術手段を説明する。
【００４３】
本出願の実施例は、例えばグローバルモバイル通信（Global  System  of  Mobile  communication，GSM）システム、符号分割多元接続（Code  Division  Multiple  Access，CDMA）システム、広帯域符号分割多元接続（Wideband  Code  Division  Multiple  Access，WCDMA）システム、汎用パケット無線サービス（General  Packet  Radio  Service，GPRS）、ロングタームエボリューション（Long  Term  Evolution，LTE）システム、アドバンスドロングタームエボリューション（Advanced  long  term  evolution，LTE-A）システム、新しい無線（New  Radio，NR）システム、ＮＲシステムの進化システム、アンライセンススペクトル上のＬＴＥ（LTE-based  access  to  unlicensed  spectrum，LTE-U）システム、アンライセンススペクトル上のＮＲ（NR-based  access  to  unlicensed  spectrum，NR-U）システム、ユニバーサルモバイル通信システム（Universal  Mobile  Telecommunication  System，UMTS）、無線ローカルエリアネットワーク（Wireless  Local  Area  Networks，WLAN）、ワイヤレスフィディリティー（Wireless  Fidelity，WiFi）、次世代通信システム、又は他の通信システム等の様々な通信システムに適用することができる。一般的には、従来の通信システムは限られた数の接続をサポートし、実装も容易である。しかし、通信技術の発展に伴って、移動通信システムは従来の通信をサポートするだけでなく、例えば、デバイス対デバイス（Device  to  Device，D2D）通信、マシン対マシン（Machine  to  Machine，M2M）通信、マシンタイプ通信（Machine  Type  Communication，MTC）、及び車両対車両（Vehicle  to  Vehicle，V2V）通信などにも対応する。本出願の実施例は、これらの通信システムに適用されてもよい。オプションとして、本出願の実施例における通信システムは、キャリアアグリゲーション（Carrier  Aggregation，CA）シナリオに適用されてもよいし、デュアルコネクティビティ（Dual  Connectivity，DC）シナリオに適用されてもよいし、スタンドアロン（Standalone，SA）に適用されてもよい。本出願の実施例は、適用されるスペクトルを限定しない。例えば、本出願の実施例は、ライセンススペクトルに適用されてもよく、アンライセンススペクトルに適用に適用されてもよい。
【００４４】
本出願の実施例では、ネットワークデバイス及び端末デバイスに関連しながら各実施例を説明する。
【００４５】
ただし、端末デバイスは、ユーザデバイス（User  Equipment，UE）、アクセス端末、ユーザユニット、ユーザ局、モバイルステーション、移動局、リモート局、リモート端末、モバイルデバイス、ユーザ端末、端末、無線通信デバイス、ユーザエージェント、又はユーザ装置などと呼ばれてもよい。端末デバイスは、WLANにおけるステーション（STAION，ST）であってもよく、携帯電話、コードレス電話、セッション開始プロトコル（Session  Initiation  Protocol，SIP）電話、ワイヤレスローカルループ（Wireless  Local  Loop、WLL）ステーション、パーソナルデジタルアシスタント（Personal  Digital  Assistant、PDA）デバイス、ワイヤレス通信機能を備えたハンドヘルドデバイス、コンピューティングデバイス又は無線モデムに接続された他の処理デバイス、車載デバイス、ウェアラブルデバイス、及びNRネットワークにおける端末デバイスなど又は未来進化の公衆地上移動ネットワーク（Public  Land  Mobile  Network，PLMN）ネットワークにおける端末デバイスなどの次世代通信システムであってよい。限定ではなく例として、本出願の実施例では、当該端末デバイスはウェアラブルデバイスであってもよい。ウェアラブルデバイスは、ウェアラブルスマートデバイスと呼ばれてもよく、ウェアラブル技術を使用して日常のウェアをスマート化設計して開発されるメガネ、手袋、腕時計、衣類、及び靴等のウェアラブルデバイスの総称である。ウェアラブルデバイスは、直接身に着けるか、又はユーザの衣類又はアクセサリーに統合される携帯型デバイスである。ウェアラブルデバイスは、ハードウェアデバイスであるだけでなく、さらには、ソフトウェアサポート、データインタラクション、及びクラウドインタラクションを通じて機能を実現する。一般的なウェアラブルスマートデバイスには、フル機能、大型、スマートフォンに依存することなく完全又は部分的な機能を実現できる、スマートウォッチ又はスマートグラス等、及び特定の種類のアプリケーション機能のみに着目して、スマートフォンのような他のデバイスと組み合わせて使用する必要のある、様々なサイン監視用のスマートブレスレット、スマートジュエリー等が含まれる。ネットワークデバイスは、モバイルデバイスと通信するためのデバイスであってもよく、ネットワークデバイスは、ＷＬＡＮにおけるアクセスポイント（Access  Point，AP）、ＧＳＭ又はＣＤＭＡにおける基地局（Base  Transceiver  Station，BTS）であってもよいし、ＷＣＤＭＡにおける基地局（NodeB，NB）であってもよく、また、ＬＴＥにおける進化型基地局（Evolutional  Node  B，ｅＮＢ又はｅＮｏｄｅＢ）、又は中継局又はアクセスポイント、又は車載デバイス、ウェアラブルデバイス、及びＮＲネットワークにおけるネットワークデバイス（gNB）又は将来進化の公衆地上移動ネットワーク（Public  Land  Mobile  Network，PLMN）におけるネットワークデバイス等であってもよい。
【００４６】
本出願の実施例では、ネットワークデバイスは、セルにサービスを提供し、端末デバイスは、このセルに使用される伝送リソース（例えば、周波数領域リソース、又は、スペクトルリソース）を介してネットワークデバイスと通信し、このセルは、ネットワークデバイス（例えば、基地局）に対応するセルであってもよく、セルは、マクロ基地局に属してもよいし、スモールセル（Small  cell）に対応する基地局に属してもよく、ここでのスモールセル（Small  cell）には、メトロセル（Metro  cell）、マイクロセル（Micro  cell）、ピコセル（Pico  cell）、フェムトセル（Femto  cell）等が含まれてもよく、これらのスモールセルは、カバレッジが小さく、送信電力が低いという特徴があり、高速データ伝送サービスの提供に適している。
【００４７】
選択的に、本出願の実施例に係る上りチャネルには、物理ランダムアクセスチャネル（Physical  Random  Access  Channel，PRACH）、物理上り制御チャネル（Physical  Uplink  Control  channel，PUCCH）、物理上り共有チャネル（Physical  Uplink  Shared  channel，PUSCH）等が含まれてもよい。上り参照信号には、上りＤＭＲＳ、サウンディング参照信号（Sounding  Reference  Signal，SRS）、ＰＴ−ＲＳ等が含まれてもよい。ここで、上りＤＭＲＳは、上りチャネルの復調に使用されることができ、ＳＲＳは、上りチャネルの測定、上り時間‐周波数同期又は位相追跡に使用されることができ、ＰＴ−ＲＳも、上りチャネルの測定、上り時間‐周波数同期又は位相追跡に使用されることができる。本出願の実施例には、上記と同じ名称及び異なる機能の上り物理チャネル又は上り参照信号が含まれてもよいし、上記と異なる名称及び同じ機能の上り物理チャネル又は上り基準信号が含まれてもよく、本出願はこれを限定しないことを理解されたい。
【００４８】
本出願の実施例は、上りチャネルの伝送に用いられてもよく、上り基準信号の伝送に用いられてもよい。以下では、上りチャネルの伝送を例として説明する。上り参照信号の伝送について同様の方法を採用することができ、ここでは繰り返さない。
【００４９】
以下、図１から図８を参照しながら、本出願の実施例に係る上りチャネルを送信する方法について説明する。図１から図８は、本出願の実施例に係る上りチャネルを送信する方法の概略フローチャートであり、この方法の詳しい通信ステップや動作を示しているが、これらのステップや動作は例にすぎず、本出願の実施例は他の動作又は図１〜図８における様々な動作の変形を実行してもよいことを理解されたい。
【００５０】
なお、図１〜図８における各ステップはそれぞれ、図１〜図８に提示されたものとは異なる順序で実行されてもよく、図１〜図８における全ての動作を実行する必要のない可能性もある。
【００５１】
図１に示すように、端末デバイスが上りチャネルを送信する方法には、次の内容が含まれる。
【００５２】
Ｓ１１０で、端末デバイスは、第１のキャリアの第１の時間ユニットでの第１の伝送リソースを決定し、当該第１の伝送リソースは第１の上りチャネルを伝送するために使用され、第１の伝送リソースは周波数領域においてＮ個の周波数領域ユニットを占める。ここで、Ｎは正の整数であり、Ｎ≧２である。
【００５３】
Ｓ１２０で、当該端末デバイスは、当該第１の伝送リソースを通じて当該第１の上りチャネルを伝送する。
【００５４】
選択的に、当該第１のキャリアはアンライセンススペクトル上のキャリアである。
【００５５】
一実現可能な形態として、当該端末デバイスは、ネットワークデバイスによって送信された第1の指示情報を受信することができ、当該第1の指示情報は、当該第1の伝送リソースを決定するために使用され、その後、当該端末デバイスは、当該第1の指示情報に従って当該第1の伝送リソースを決定する。
【００５６】
選択的に、端末デバイスは、当該第１の指示情報に従って、当該第１の伝送リソースの時間領域リソース、周波数領域リソース、及びコード領域リソースのうちの少なくとも１つを決定する。
【００５７】
限定ではなく例として、当該第１の指示情報は、下り制御情報（Downlink  Control  Information，DCI）、無線リソース制御（Radio  Resource  Control，RRC）シグナリング、及びメディアアクセス制御（Media  Access  Control，MAC）における制御要素（Control  element，CE）シグナリングのうちの１つであってよい。
【００５８】
選択的に、当該第１の上りチャネルは、ＰＲＡＣＨ及びＰＵＣＣＨのうちの少なくとも１つを含み得る。これに対応して、当該第１の伝送リソースは、ＰＲＡＣＨ伝送に使用される１つ又は複数のＰＲＡＣＨリソース、及び／又はＰＵＣＣＨの伝送に使用される１つ又は複数のＰＵＣＣＨリソースを含み、本発明では限定されない。
【００５９】
本発明では限定されないが、１つのＰＲＡＣＨリソース又はＰＵＣＣＨリソースが時間領域において１つ又は複数のシンボルを占めることができることを理解されたい。
【００６０】
選択的に、本発明の実施例におけるＮ個の周波数領域ユニットのそれぞれは、１つ又は複数のＲＢを含むことができる。以下、説明の便利上、一つの周波数領域ユニットが１つのＲＢを含むことを例として説明する。
【００６１】
次に、本発明の実施例に係る第１の伝送リソースについて説明する。
【００６２】
アンライセンスキャリアでは、平均等価全方向放射電力（equivalent  isotropically  radiated  power，EIRP）と平均等価全方向放射電力密度（equivalent  isotropically  radiated  power  density，EIRP  density）が特定の上限値を超えてはいけない。ここで、平均等価全方向放射電力密度は単位帯域幅内に制限され、例えば、平均等価全方向放射電力密度の上限値が１０ｄＢｍ/ＭＨｚであるとすると、１ＭＨｚ帯域幅内の信号の最大平均等価全方向放射電力は１０ｄＢｍであり、当該信号は当該１ＭＨｚ帯域幅内の一部又はすべての帯域幅を占有できる。
【００６３】
選択的に、本発明の実施例では、平均等価全方向放射電力の上限値は最大送信電力と同じであり、平均等価全方向放射電力度の上限値は最大送信電力スペクトル密度と同じである。
【００６４】
従って、本発明の実施例では、少なくとも２つの周波数領域ユニットを上りチャネルに割り当てることができ、ここで、当該少なくとも２つの周波数領域ユニットが異なる単位帯域幅に配置され、各周波数領域ユニットが当該単位帯域幅内の最大送信電力で伝送を行うようにすることで、最大送信電力スペクトル密度が制限されている場合に、上りチャネルの送信電力を増加することができる。
【００６５】
一つの選択可能な実現形態で、前記Ｎ個の周波数領域ユニットのうちの少なくとも２つの隣接する周波数領域ユニットは、周波数領域において不連続である。
【００６６】
例えば、このＮ個のＲＢにＲＢ＃１、ＲＢ＃２、ＲＢ＃５、ＲＢ＃６が含まれているとすると、ＲＢ＃２とＲＢ＃５は、このＮ個のＲＢのうち２つの隣接するＲＢであり、かつ、ＲＢ＃２とＲＢ＃５は周波数領域で不連続である（ＲＢ＃３とＲＢ＃４によって離れている）。
【００６７】
一つの選択可能な実現形態で、前記Ｎ個の周波数領域ユニットにおける任意の２つの隣接する周波数領域ユニット間の周波数領域間隔は等しい。
【００６８】
例えば、このＮ個のＲＢにＲＢ＃０、ＲＢ＃５、ＲＢ＃１０、ＲＢ＃１５、ＲＢ＃２０が含まれ、ここで、このＮ個のＲＢ内の２つの隣接するＲＢ間の周波数領域間隔がすべて等しいと仮定する。選択的に、２つの隣接するＲＢ間の周波数領域距離には、前のＲＢの開始サブキャリアから次のＲＢの開始サブキャリアまでの距離が含まれる。
【００６９】
図２は、当該Ｎ個のＲＢ内の２つの隣接するＲＢ間の周波数領域間隔がすべて等しい（インターレース構造とも呼ばれる）概略図を示している。図２に示すように、伝送帯域幅に１００個のＲＢが含まれていると仮定すると、この１００個のＲＢには１０個のインターレースリソースが含まれ、各インターレースリソースには１０個のＲＢが含まれ、この１０個のＲＢ内の任意の２つの隣接するＲＢは周波数領域で同じ間隔を持っている。ここで、このＮ個のＲＢは、インターレースリソース＃０に含まれるＲＢである。図２に示すように、インターレースリソース＃０に含められるＲＢの番号は、ＲＢ＃０、ＲＢ＃１０、ＲＢ＃２０、ＲＢ＃３０、ＲＢ＃４０、ＲＢ＃５０、ＲＢ＃６０、ＲＢ＃７０、ＲＢ＃８０及びＲＢ＃９０である。
【００７０】
アンライセンスキャリアでは、信号の最大送信電力（又は平均等価全方向放射電力の上限値）が一定であるため、最大送信電力スペクトル密度（又は平均等価全方向放射電力密度の上限値）を使用して伝送されるチャネルがデバイスの最大送信電力（又は平均等価全方向放射電力の上限値）に達した場合、信号が占有する帯域幅を増やす（又は信号が占有する周波数領域ユニットの数を増やす）ことによっては、送信電力を上げる効果が得られない。例えば、５Ｇ周波数帯域において、通信デバイスの最大送信電力が２３ｄＢｍであると仮定すると、当該通信デバイスの信号送信帯域幅が２０ＭＨｚ、４０ＭＨｚ、又はそれ以上の帯域幅であるかどうかに関係なく、この最大送信電力は２３ｄＢｍであるが、帯域幅が大きいほど、対応する送信電力スペクトル密度が低くなる。
【００７１】
一つの選択可能な実現形態で、当該Ｎ個の周波数領域ユニットが占める帯域幅は、第１の帯域幅以下である。
【００７２】
例えば、当該第１の帯域幅が２０ＭＨｚ、第１の伝送リソースに対応するサブキャリア間隔が６０ｋＨｚ、第１の伝送リソースが周波数領域で１０ＲＢ（即ち、Ｎの値が１０）を占有すると仮定すると、１０ＲＢに対応する帯域幅サイズは７.２ＭＨｚであり、第１の帯域幅である２０ＭＨｚより小さい。
【００７３】
一つの選択可能な実現形態で、第１の帯域幅のサイズは、通信デバイスが信号伝送に最大送信電力（又は平均等価全方向放射電力の上限値）と最大送信電力スペクトル密度（又は平均等価全方向放射電力密度の上限値）を使用するときに占有される帯域幅のサイズである。つまり、第１の帯域幅での信号伝送に使用できる送信電力は、最大送信電力に達することができる。信号伝送に第１の帯域幅を超えるリソースを使用しても、信号の送信電力を増やすことができない。
【００７４】
アンライセンスキャリアでは、チャネル検出を通じてチャネルが利用可能かどうかを判断する必要があることを理解されたい。通常、チャネル検出帯域幅が信号伝送帯域幅と一致しない場合、例えば、チャネル検出帯域幅が２０ＭＨｚ、信号伝送帯域幅が４０ＭＨｚである場合、２０ＭＨｚチャネルを使用できると決定する確率は、４０ＭＨｚチャネルを使用できると決定する確率より大きい。即ち、信号が占有する帯域幅が小さいほど、チャネルを使用する権利を得られる確率が高くなる。
【００７５】
一つの選択可能な実現形態で、当該第１の帯域幅Ｘは次の条件を満たす。
１０＊ｌｇ（Ｘ）＋Ｄ＝Ｐ
ただし、Ｄは当該第１のキャリアでの最大送信電力スペクトル密度を表し、単位はｄＢｍ/ＭＨｚであり、Ｐは当該第１のキャリアでの最大送信電力を表し、単位はＭＨｚであり、Ｘの単位はＭＨｚであり、ｌｇは１０を底とする対数を表す。
【００７６】
選択的に、Ｄ＝１０ｄＢｍ/ＭＨｚ、Ｐ＝２３ｄＢｍ、Ｘ＝２０ＭＨｚ。例えば、５ＧＨｚスペクトルでは、当該第１の帯域幅のサイズは２０ＭＨｚである。
【００７７】
選択的に、Ｄ＝１３ｄＢｍ/ＭＨｚ、Ｐ＝４０ｄＢｍ、Ｘ＝５１２ＭＨｚ。例えば、６０ＧＨｚスペクトルでは、当該第１の帯域幅のサイズは５１２ＭＨｚである。
【００７８】
本発明の実施例における第１の帯域幅の単位は、ＲＢに対応する帯域幅（例えば、当該第１の帯域幅に含まれるＲＢの数）であってもよいし、メガヘルツ（ＭＨｚ）であってもよいことを理解されたい。本発明の実施例は、具体的な制限を行わない。ここで、当該第１の帯域幅に含まれるＲＢの数は、第１の帯域幅のサイズ及びサブキャリア間隔のサイズによって決定され得る。言い換えれば、第１帯域幅のサイズが一定である場合、当該第１帯域幅に含まれるＲＢの個数は、サブキャリア間隔のサイズによって決定されるが、本発明の実施例はこれに限定されない。
【００７９】
例えば、第１の帯域幅が２０ＭＨｚであり、第１の伝送リソースに対応するサブキャリア間隔が１５ｋＨｚであると仮定すると、当該第１の帯域幅は、周波数領域の両側でガードバンドを予約した後に１００個のＲＢを含み得る。
【００８０】
例えば、第１の帯域幅が２０ＭＨｚであり、第１の伝送リソースに対応するサブキャリア間隔が３０ｋＨｚであると仮定すると、第１の帯域幅は、周波数領域の両側でガードバンドを予約した後、５０個のＲＢを含み得る。
【００８１】
別の例として、第１の帯域幅が２０ＭＨｚであり、第１の伝送リソースに対応するサブキャリア間隔が６０ｋＨｚであると仮定すると、第１の帯域幅は、周波数領域の両側で保護帯域を予約した後、２６個のＲＢを含み得る。
【００８２】
一つの選択可能な実現形態で、当該Ｎ個の周波数領域ユニットにおける最初の周波数領域ユニットと最後の周波数領域ユニットの間の周波数領域間隔は、第１の帯域幅以下である。
【００８３】
選択的に、本発明の実施例における２つの周波数領域ユニット間の周波数領域間隔は、前の周波数領域ユニットの開始サブキャリアと次の周波数領域ユニットの開始サブキャリアとの間の距離として理解することができる。
【００８４】
選択的に、本発明の実施例における当該周波数領域間隔は、２つのＲＢ間におけるＲＢの数として理解することができ、例えば、ＲＢ＃０とＲＢ＃１の周波数領域間隔は１ＲＢであり、ＲＢ＃０とＲＢ＃９の周波数領域間隔は９ＲＢである。
【００８５】
当該第１の帯域幅の単位がＲＢに対応する帯域幅である例を挙げて、当該Ｎ個の周波数領域ユニットにおける最初の周波数領域ユニットと最後の周波数領域ユニットの間の周波数領域間隔が第１の帯域幅以下である実現形態を説明する。
【００８６】
例えば、第１の帯域幅が２０ＭＨｚで、第１の伝送リソースに対応するサブキャリア間隔が１５ｋＨｚで、第１の帯域幅は周波数領域の両側でガードバンドを予約した後に１００個のＲＢを含むと仮定すると、当該Ｎ個の周波数領域ユニットにおける最初の周波数領域ユニットと最後の周波数領域ユニットの間の周波数領域間隔が第１の帯域幅以下であることは、当該Ｎ個のＲＢにおける最初のＲＢと最後のＲＢの間の周波数領域間隔が９９ＲＢに対応する帯域幅以下であると理解できる。
【００８７】
別の例として、第１の帯域幅が２０ＭＨｚで、第１の伝送リソースに対応するサブキャリア間隔が３０ｋＨｚで、第１の帯域幅は周波数領域の両側でガードバンドを予約した後に５０個のＲＢを含むと仮定すると、当該Ｎ個の周波数領域ユニットにおける最初の周波数領域ユニットと最後の周波数領域ユニットの間の周波数領域間隔が第１の帯域幅以下であることは、当該Ｎ個のＲＢにおける最初のＲＢと最後のＲＢの間の周波数領域間隔が４９ＲＢに対応する帯域幅以下であると理解できる。
【００８８】
別の例として、第１の帯域幅が２０ＭＨｚで、第１の伝送リソースに対応するサブキャリア間隔が６０ｋＨｚで、第１の帯域幅は周波数領域の両側でガードバンドを予約した後に２６個のＲＢを含むと仮定すると、当該Ｎ個の周波数領域ユニットにおける最初の周波数領域ユニットと最後の周波数領域ユニットの間の周波数領域間隔が第１の帯域幅以下であることは、当該Ｎ個のＲＢにおける最初のＲＢと最後のＲＢの間の周波数領域間隔が２５ＲＢに対応する帯域幅以下であると理解できる。
【００８９】
本発明の実施例では、第1の上りチャネル（例えば、ＰＵＣＣＨ又はＰＲＡＣＨ）を第1の帯域幅で伝送するように制限することで、端末デバイスが送信電力効率を失うことなく、より多くのチャネル伝送機会を取得できることを理解されたい。当該Ｎ個の周波数領域ユニットの最初の周波数領域ユニットと最後の周波数領域ユニットとの間の周波数領域間隔が第１の帯域幅以下であるという上記の限定形態は、単なる例示であり、本発明の実施例はこれに限定されない。
【００９０】
さらに、当該Ｎ個の周波数領域ユニットが占める帯域幅と第１の帯域幅の間の関係、及び周波数領域間隔と第１の帯域幅の間の関係に組み合わせて、第１の上りチャネル（例えば、ＰＵＣＣＨ又はＰＲＡＣＨなど）の伝送を第１の帯域幅に制限してもよい。言い換えれば、当該Ｎ個の周波数領域ユニットにおける最初の周波数領域ユニットと最後の周波数領域ユニットとの間の周波数領域間隔、及び当該Ｎ個の周波数領域ユニットが占める帯域幅を、それぞれ当該第１の帯域幅Ｘと一定の関係にすることができる。
【００９１】
例えば、一実施例では、当該Ｎ個の周波数領域ユニットが占める帯域幅は、第１の帯域幅以下であり、かつ、当該Ｎ個の周波数領域ユニットにおける最初の周波数領域ユニットと最後の周波数領域ユニットの間の周波数領域間隔は第１の帯域幅以下である。
【００９２】
図３は、本発明の実施例に係る当該Ｎ個の周波数領域ユニットにおける最初の周波数領域ユニットと最後の周波数領域ユニットとの間の周波数領域間隔が第１の帯域幅より小さく、かつ、当該Ｎ個の周波数領域ユニットが占める帯域幅が第１の帯域幅以下である模式図である。
【００９３】
図３に示すように、第１の帯域幅は１０個の周波数領域ユニットを含み、当該第１の伝送リソースは５個の周波数領域ユニットを含み、具体的には、第１の伝送リソースはＲＢ＃０、ＲＢ＃１、ＲＢ＃４、ＲＢ＃５、ＲＢ＃８を占める。この場合、ＲＢ＃０とＲＢ＃８の間の周波数領域間隔が第１の帯域幅を超えないことがわかる。また、第１の伝送リソースが占める帯域幅も第１の帯域幅を超えない。
【００９４】
例えば、別の実施例では、当該Ｎ個の周波数領域ユニットが占める帯域幅は第１の帯域幅以下であり、かつ、当該Ｎ個の周波数領域ユニットにおける最初の周波数領域ユニットと最後の周波数領域ユニットの間の周波数領域間隔は第１の帯域幅より大きい。
【００９５】
図４は、本発明の実施例に係る当該Ｎ個の周波数領域ユニットにおける最初の周波数領域ユニットと最後の周波数領域ユニットとの間の周波数領域間隔が第１の帯域幅より大きく、かつ、当該Ｎ個の周波数領域ユニットが占める帯域幅が第１の帯域幅以下である模式図である。
【００９６】
図４に示すように、当該第１の帯域幅は１０個の周波数領域ユニットを含み、当該第１の伝送リソースは５個の周波数領域ユニットを含み、具体的には、第１の伝送リソースはＲＢ＃０、ＲＢ＃５、ＲＢ＃１０、ＲＢ＃１５、ＲＢ＃２０を占める。この場合、ＲＢ＃０とＲＢ＃２０の周波数領域間隔が第１帯域幅を超えていることがわかる。また、第１の伝送リソースが占める帯域幅は、第１の帯域幅を超えない。
【００９７】
一つの選択可能な実現形態で、当該第１の帯域幅のサイズは、第２の帯域幅のサイズより小さくてもよく、当該第２の帯域幅は、ネットワークデバイスによって当該端末デバイスのために構成される上り伝送用の帯域幅である。
【００９８】
これは主に、ＰＵＣＣＨやＰＲＡＣＨなどの運ばれる情報量が少ない上りチャネルの場合、上り信号の伝送帯域幅を増やすことは信号の送信電力を増やすためであるが、帯域幅が一定の値（例えば、第１の帯域幅）に達すると、帯域幅を続いて増やしても、送信電力を増やす目的を達成できないからである。しかし、ＰＵＳＣＨの場合、より大きな伝送帯域幅を使用すると、より多くの上りデータを送信できるため、それにより、端末デバイスがより良いユーザー体験を得ることができる。従って、ＰＵＳＣＨ伝送の帯域幅は、第１の帯域幅に限定されなくてよい。
【００９９】
選択的に、ＰＵＳＣＨ伝送のために端末デバイスによって使用される帯域幅は、第１の帯域幅よりも大きい。
【０１００】
図５は、本発明の実施例に係る第１の帯域幅が第２の帯域幅よりも小さい概略図である。図５に示すように、上りデータ伝送のためにネットワークデバイスによって端末デバイスに割り当てられる第２の帯域幅は、第１のサブバンド及び第２のサブバンドを含み、第１のサブバンドのサイズは第１の帯域幅のサイズと同じである。端末デバイスは、第１の時間ユニットの第２の帯域幅で上りデータ伝送を実行し、第２の時間ユニットの第１の帯域幅でＰＵＣＣＨ又はＰＲＡＣＨの伝送を実行することができる。本発明の実施例は、当該第１の時間ユニットと当該第２の時間ユニットとの位置関係を特に限定せず、例えば、第２の時間ユニットが第１の時間ユニットより遅くてもよく、第２の時間ユニットが第１の時間ユニットより早くてもよいことを理解されたい。本発明の実施例では、第1の伝送リソースの周波数領域位置も制限せず、例えば、ＰＵＣＣＨ又はＰＲＡＣＨは、ＰＵＣＣＨ又はＰＲＡＣＨによって占有される帯域幅が第１の帯域幅以下である限り、第1のサブバンド又は第2のサブバンドのいずれで伝送されても構わない。
【０１０１】
一つの選択可能な実現形態で、周波数領域で第１の伝送リソースによって占有される周波数領域ユニットの数は、当該第１の伝送リソースに対応するサブキャリア間隔のサイズとは関係ない。
【０１０２】
例えば、第１の伝送リソースに対応するサブキャリア間隔が１５ｋＨｚ、３０ｋＨｚ、又は６０ｋＨｚのいずれかである場合、第１の伝送リソースは、周波数領域においてＮ個の周波数領域ユニットを占有する。
【０１０３】
これは主に、サブキャリア間隔が異なっても、Ｎ個のＲＢのそれぞれが使用できる最大送信電力が同じであり、異なるサブキャリア間隔での上りチャネルの最大送信電力を同じN構成で同じにすることができるためである。
【０１０４】
一つの選択可能な実現形態で、周波数領域において第１の伝送リソースによって占有される周波数領域ユニットの数は、当該第１の伝送リソースに対応するサブキャリア間隔のサイズに従って決定される。
【０１０５】
選択的に、第１の伝送リソースに対応するサブキャリア間隔が大きいほど、周波数領域で第１の伝送リソースによって占有される周波数領域ユニットの数が多くなる。
【０１０６】
選択的に、第１の伝送リソースに対応するサブキャリア間隔が１５ｋＨｚの場合、第１の伝送リソースは周波数領域上でＮ個の周波数領域ユニットを占め、第１の伝送リソースに対応するサブキャリア間隔が３０ｋＨｚの場合、第１の伝送リソースは周波数領域上で２Ｎ個の周波数領域ユニットを占める。
【０１０７】
選択的に、第１の伝送リソースに対応するサブキャリア間隔が１５ｋＨｚの場合、第１の伝送リソースは周波数領域上でＮ個の周波数領域ユニットを占め、第１の伝送リソースに対応するサブキャリア間隔が６０ｋＨｚの場合、第１の伝送リソースは周波数領域上で４Ｎ個の周波数領域ユニットを占める。
【０１０８】
これは主に、サブキャリア間隔が大きいほど、シンボルが短くなり、同じ送信電力の下で、大きいサブキャリア間隔を使用して上り伝送が実行される信号は、より少ないエネルギーに対応するためです。最大送信電力に達していない場合、サブキャリア間隔が大きい伝送リソースに対してより多くの周波数領域ユニットが構成されると、サブキャリア間隔が小さい伝送リソースと同じカバレッジを実現できる。
【０１０９】
一例として、当該第１の伝送リソースは第１のサブキャリア間隔に対応する伝送リソースであり、当該端末デバイスは当該第１のキャリアの第２の時間ユニットにおける第２の伝送リソースをさらに決定してもよく、当該第２の伝送リソースは第２のサブキャリア間隔に対応する伝送リソースであり、第２の上りチャネルを伝送するために使用され、当該第２の伝送リソースは周波数領域でＮ個の周波数領域ユニットを占有する。ここで、当該第２のサブキャリア間隔は当該第１のサブキャリア間隔よりも大きく、さらに、当該端末デバイスは当該第２の伝送リソースを通じて当該第２の上りチャネルをネットワークデバイスに送信することもできる。
【０１１０】
本発明の実施例では、ネットワークデバイスは、異なる時間に1つの端末デバイスに対して当該第１のサブキャリア間隔及び当該第２のサブキャリア間隔を構成することができ、異なる端末デバイスに対して異なるサブキャリア間隔を構成することもできることを理解されたい。
【０１１１】
図６は、本発明の実施例に係る第１のサブキャリア間隔に対応する第１の伝送リソースに含まれる周波数領域ユニットの数が、第２のサブキャリア間隔に対応する第２の伝送リソースに含まれる周波数領域ユニットの数と同じ概略ブロック図である。
【０１１２】
具体的には、図６に示すように、Ｎの値が５であると仮定すると、第１のサブキャリア間隔は１５ｋＨｚで、第１の伝送リソースがＲＢ＃０、ＲＢ＃１０、ＲＢ＃２０、ＲＢ＃３０、及びＲＢ＃４０を占め、第２のサブキャリア間隔は３０ｋＨｚで、第２の伝送リソースはＲＢ＃０、ＲＢ＃５、ＲＢ＃１０、ＲＢ＃１５、及びＲＢ＃２０を占める。この場合、第１の伝送リソースと第２の伝送リソースは、異なるサブキャリア間隔に対応する伝送リソースであるが、同じ数のＲＢを占有していることがわかる。それに対応して、Ｎ個のＲＢのそれぞれが使用できる最大送信電力が同じであるため、第１の伝送リソースと第２の伝送リソースが使用する最大送信電力は同じである。
【０１１３】
本発明の実施例では、より大きなサブキャリア間隔の伝送リソースに対してより多くの周波数領域ユニットを構成することもでき、より小さなサブキャリア間隔の伝送リソースと同じカバレッジを達成することができる。
【０１１４】
一例として、当該第１の伝送リソースは第１のサブキャリア間隔に対応する伝送リソースであり、当該端末デバイスは当該第１のキャリアの第２の時間ユニットにおける第２の伝送リソースをさらに決定してもよく、当該第２の伝送リソースは第２のサブキャリア間隔に対応する伝送リソースであり、第２の上りチャネルを伝送するために使用され、当該第２の伝送リソースは周波数領域でＭ個の周波数領域ユニットを占有し、Ｍは正の整数で、Ｍ＞Ｎである。ただし、当該第２のサブキャリア間隔は当該第１のサブキャリア間隔よりも大きく、さらに、当該端末デバイスは、当該第２の伝送リソースを通じて当該第２の上りチャネルをネットワークデバイスに送信することもできる。
【０１１５】
本発明の実施例では、ネットワークデバイスは、異なる時間に１つの端末デバイスに対して当該第１のサブキャリア間隔及び当該第２のサブキャリア間隔を構成してもよく、異なる端末デバイスに対して異なるサブキャリア間隔を構成してもよいことを理解されたい。
【０１１６】
図７は、本発明の実施例に係る第１のサブキャリア間隔に対応する第１の伝送リソースに含まれる周波数領域ユニットの数が、第２のサブキャリア間隔に対応する第２の伝送リソースに含まれる周波数領域ユニットの数より少ない概略ブロック図である。
【０１１７】
具体的には、図７に示すように、Ｎの値が５で、Ｍの値が１０であると仮定すると、第１のサブキャリア間隔は１５ｋＨｚで、第１の伝送リソースがＲＢ＃０、ＲＢ＃１０、ＲＢ＃２０、ＲＢ＃３０、及びＲＢ＃４０を占め、第２のサブキャリア間隔は３０ｋＨｚで、第２の伝送リソースはＲＢ＃０、ＲＢ＃２、ＲＢ＃５、ＲＢ＃７、ＲＢ＃１０、ＲＢ＃１２、ＲＢ＃１５、ＲＢ＃１７、ＲＢ＃２０、ＲＢ＃２２を占める。つまり、サブキャリアの間隔が大きいほど、占有されるＲＢが多くなる。サブキャリア間隔が大きいほど、シンボルは短くなり、同じ送信電力の下で、大きなサブキャリア間隔を使用して上り伝送が実行される信号は、より少ないエネルギーに対応するため、最大送信電力に達していない場合、サブキャリア間隔が大きい伝送リソースに対してより多くの周波数領域ユニットが構成されると、サブキャリア間隔が小さい伝送リソースと同じカバレッジを実現できる。
【０１１８】
選択的に、当該第２の上りチャネルは、ＰＲＡＣＨ及びＰＵＣＣＨのうちの少なくとも１つを含み得る。
【０１１９】
一つの実現可能な形態として、１つのＰＲＡＣＨリソース又は１つのＰＵＣＣＨリソースが周波数領域上で占めるリソースは、第1の帯域幅以下である。
【０１２０】
選択的に、１つのＰＵＣＣＨリソース（又は１つのＰＲＡＣＨリソース）が周波数領域上で占める１番目のＲＢと最後のＲＢとの間の周波数領域間隔は、第１の帯域幅以下である。
【０１２１】
選択的に、１つのＰＵＣＣＨリソース（又は１つのＰＲＡＣＨリソース）が周波数領域上で占めるリソースのサイズは、通信システムによって規定される（例えば、Ｎの値はシステムによって規定される）か、又はネットワークデバイスによって構成される（例えば、Ｎの値は、ネットワークデバイスからＲＲＣを介して端末デバイスに伝えられる）。
【０１２２】
選択的に、１つのＰＵＣＣＨリソース（又は１つのＰＲＡＣＨリソース）は周波数領域上でＮ個のＲＢを占め、ここで、当該Ｎ個のＲＢ間の相対位置関係は、通信システムによって規定されるか、ネットワークデバイスによって構成される。さらに選択的に、端末デバイスは、第１の指示情報に従って当該ＰＵＣＣＨリソース（又はＰＲＡＣＨリソース）の周波数領域位置を決定する。
【０１２３】
選択的に、１つのＰＵＣＣＨリソース（又は１つのＰＲＡＣＨリソース）が周波数領域上で占めるリソースのサイズは、当該ＰＵＣＣＨリソース（又は当該ＰＲＡＣＨリソース）に対応するサブキャリア間隔のサイズに従って決定される。
【０１２４】
選択的に、１つのＰＵＣＣＨリソース（又は１つのＰＲＡＣＨリソース）が占めるリソースは、インターレース構造を採用してもよい。
【０１２５】
本発明の実施例では、第１の上りチャネル（例えば、ＰＵＣＣＨ又はＰＲＡＣＨ）が第１の帯域幅で伝送されるように制限することによって、端末デバイスは、送信電力効率を失うことなく、より多くのチャネル伝送機会を得ることができる。さらに、当該第１の帯域幅への当該第１の上り信号のマッピングは、最大の電力利用効率を達成するためにインターレース構造を採用することもできる。
【０１２６】
図８に示すように、ネットワークデバイスが上りチャネルを受信する方法には、以下が含まれる。
【０１２７】
Ｓ２１０で、ネットワークデバイスは、第１のキャリアの第１の時間ユニットでの第１の伝送リソースを決定し、当該第１の伝送リソースは第１の上りチャネルを受信するために使用され、当該第１の伝送リソースは周波数領域においてＮ個の周波数領域ユニットを占める。ここで、Ｎは正の整数で、Ｎ≧２である。
【０１２８】
Ｓ２２０で、当該ネットワークデバイスは、当該第１の伝送リソースを通じて第１の上りチャネルを受信する。
【０１２９】
一つの選択可能な実現形態で、当該Ｎ個の周波数領域ユニットにおける最初の周波数領域ユニットと最後の周波数領域ユニットの間の周波数領域間隔は、第１の帯域幅以下である。
【０１３０】
一つの選択可能な実現形態で、当該Ｎ個の周波数領域ユニットが占める帯域幅は、第１の帯域幅以下である。
【０１３１】
一つの選択可能な実現形態で、当該第１の帯域幅はＸで、Ｘは次の条件を満たす。
１０＊ｌｇ（Ｘ）＋Ｄ＝Ｐ
ただし、Ｄは当該第１のキャリアでの最大送信電力スペクトル密度を表し、単位はｄＢｍ/ＭＨｚであり、Ｐは当該第１のキャリアでの最大送信電力を表し、単位はＭＨｚであり、Ｘの単位はＭＨｚであり、ｌｇは１０を底とする対数を表す。
【０１３２】
一つの選択可能な実現形態で、当該第１の帯域幅は当該第２の帯域幅よりも小さく、ここで、当該第２の帯域幅は、ネットワークデバイスによって当該端末デバイスのために構成される上り伝送用の帯域幅である。
【０１３３】
一つの選択可能な実現形態で、当該Ｎ個の周波数領域ユニットのうちの少なくとも２つの隣接する周波数領域ユニットは、周波数領域で不連続である。
【０１３４】
一つの選択可能な実現形態で、Ｎ＞２で、当該Ｎ個の周波数領域ユニット内の任意の２つの隣接する周波数領域ユニット間の周波数領域間隔が等しい。
【０１３５】
一つの選択可能な実現形態で、当該第１の上りチャネルは、物理ランダムアクセスチャネルＰＲＡＣＨ及び物理上り制御チャネルＰＵＣＣＨのうちの少なくとも１つを含む。
【０１３６】
一つの選択可能な実現形態で、当該第１の伝送リソースは第１のサブキャリア間隔に対応する伝送リソースであり、上記方法はさらに以下を含む。
【０１３７】
当該ネットワークデバイスは、当該第１のキャリアの第２の時間ユニットでの第２の伝送リソースを決定し、当該第２の伝送リソースは第２のサブキャリア間隔に対応する伝送リソースであり、当該第２の伝送リソースは第２の上りチャネルを受信するために使用され、当該第２の伝送リソースは周波数領域においてＮ個の周波数領域ユニットを占有し、ここで、当該第２のサブキャリア間隔は当該第１のサブキャリア間隔より大きい。
【０１３８】
一つの選択可能な実現形態で、当該第１の伝送リソースは第１のサブキャリア間隔に対応する伝送リソースであり、上記方法はさらに以下を含む。
【０１３９】
当該端末デバイスは、当該第１のキャリアの第２の時間ユニットでの第２の伝送リソースを決定し、当該第２の伝送リソースは、第２のサブキャリア間隔に対応する伝送リソースであり、当該第２の伝送リソースは第２の上りチャネルを受信するために使用され、当該第２の伝送リソースは周波数領域においてＭ個の周波数領域ユニットを占有し、Ｍは正の整数で、Ｍ＞Ｎであり、ここで、当該第２のサブキャリア間隔は当該第１のサブキャリア間隔よりも大きい。
【０１４０】
一つの選択可能な実現形態で、当該第２の上りチャネルは、物理ランダムアクセスチャネルＰＲＡＣＨ及び物理上り制御チャネルＰＵＣＣＨのうちの少なくとも１つを含む。
【０１４１】
一つの選択可能な実現形態で、上記方法にはさらに以下が含まれる。
【０１４２】
当該ネットワークデバイスは第１の指示情報を決定し、当該第１の指示情報は当該第１の伝送リソースを決定するために使用される。
【０１４３】
当該ネットワークデバイスは、当該第１の指示情報を当該端末デバイスに送信する。
【０１４４】
上りチャネルの伝送方法２００におけるステップは、上りチャネルの伝送方法１００における対応するステップを参照できることを理解されたい。簡潔にするために、ここでは詳細を繰り返さない。
【０１４５】
以上は図１から図８と併せて本出願の方法実施例を詳細に説明したが、以下は図９から図１２と併せて本出願の装置実施例が詳細に説明される。装置実施例と方法実施例は、互いに対応し得ることを理解されたい。同様の説明は、方法実施例を参照することができる。繰り返しを避けるため、ここでは繰り返さない。
【０１４６】
図９は、本発明の実施例に係る端末デバイスの概略ブロック図である。
【０１４７】
具体的には、図９に示すように、当該端末デバイスには処理ユニット３１０と通信ユニット３２０が含まれる。
【０１４８】
処理ユニット３１０は、第１のキャリアの第１の時間ユニットでの第１の伝送リソースを決定するように構成され、当該第１の伝送リソースは第１の上りチャネルを伝送するために使用され、当該第１の伝送リソースは周波数領域においてＮ個の周波数領域ユニットを占める。ここで、Ｎは正の整数で、Ｎ≧２である。
【０１４９】
通信ユニット３２０は、当該第１の伝送リソースを通じて当該第１の上りチャネルを伝送するように構成される。
【０１５０】
一つの選択可能な実現形態で、当該Ｎ個の周波数領域ユニットにおける最初の周波数領域ユニットと最後の周波数領域ユニットの間の周波数領域間隔は、第１の帯域幅以下である。
【０１５１】
一つの選択可能な実現形態で、当該Ｎ個の周波数領域ユニットが占める帯域幅は、第１の帯域幅以下である。
【０１５２】
一つの選択可能な実現形態で、当該第１の帯域幅はＸで、Ｘは次の条件を満たす。
１０＊ｌｇ（Ｘ）＋Ｄ＝Ｐ
ただし、Ｄは当該第１のキャリアでの最大送信電力スペクトル密度を表し、単位はｄＢｍ/ＭＨｚであり、Ｐは当該第１のキャリアでの最大送信電力を表し、単位はＭＨｚであり、Ｘの単位はＭＨｚであり、ｌｇは１０を底とする対数を表す。
【０１５３】
一つの選択可能な実現形態で、当該第１の帯域幅は当該第２の帯域幅よりも小さく、ここで、当該第２の帯域幅は、当該ネットワークデバイスによって当該端末デバイスのために構成される上り伝送用の帯域幅である。
【０１５４】
一つの選択可能な実現形態で、当該Ｎ個の周波数領域ユニットのうちの少なくとも２つの隣接する周波数領域ユニットは、周波数領域で不連続である。
【０１５５】
一つの選択可能な実現形態で、Ｎ＞２で、当該Ｎ個の周波数領域ユニット内の任意の２つの隣接する周波数領域ユニット間の周波数領域間隔が等しい。
【０１５６】
一つの選択可能な実現形態で、当該第１の上りチャネルは、物理ランダムアクセスチャネルＰＲＡＣＨ及び物理上り制御チャネルＰＵＣＣＨのうちの少なくとも１つを含む。
【０１５７】
一つの選択可能な実現形態で、当該第１の伝送リソースは第１のサブキャリア間隔に対応する伝送リソースであり、上記処理ユニット３１０はさらに、以下のように構成される。
【０１５８】
当該第１のキャリアの第２の時間ユニットでの第２の伝送リソースを決定し、当該第２の伝送リソースは第２のサブキャリア間隔に対応する伝送リソースであり、当該第２の伝送リソースは第２の上りチャネルを伝送するために使用され、当該第２の伝送リソースは周波数領域においてＮ個の周波数領域ユニットを占有し、ここで、当該第２のサブキャリア間隔は当該第１のサブキャリア間隔より大きい。当該通信ユニット３２０はさらに当該第２の伝送リソースを通じて当該第２の上りチャネルを伝送するように構成される。
【０１５９】
一つの選択可能な実現形態で、当該第１の伝送リソースは第１のサブキャリア間隔に対応する伝送リソースであり、上記処理ユニット３１０はさらに、以下のように構成される。
【０１６０】
当該第１のキャリアの第２の時間ユニットでの第２の伝送リソースを決定し、当該第２の伝送リソースは、第２のサブキャリア間隔に対応する伝送リソースであり、当該第２の伝送リソースは第２の上りチャネルを伝送するために使用され、当該第２の伝送リソースは周波数領域においてＭ個の周波数領域ユニットを占有し、Ｍは正の整数で、Ｍ＞Ｎであり、ここで、当該第２のサブキャリア間隔は当該第１のサブキャリア間隔よりも大きい。当該通信ユニット３２０はさらに当該第２の伝送リソースを通じて当該第２の上りチャネルを送信するように構成される。
【０１６１】
一つの選択可能な実現形態で、当該第２の上りチャネルは、物理ランダムアクセスチャネルＰＲＡＣＨ及び物理上り制御チャネルＰＵＣＣＨのうちの少なくとも１つを含む。
【０１６２】
一つの選択可能な実現形態で、上記処理ユニット３１０は、具体的には以下のように構成される。
【０１６３】
ネットワークデバイスによって送信された第１の指示情報を受信し、当該第１の指示情報は当該第１の伝送リソースを決定するために使用され、当該第１の指示情報に従って当該第１の伝送リソースを決定する。
【０１６４】
図１０は、本発明の実施例に係るネットワークデバイスの概略ブロック図である。
【０１６５】
具体的には、図１０に示されるように、当該ネットワークデバイスは処理ユニット４１０と通信ユニット４２０を含み得る。
【０１６６】
処理ユニット４１０は、第１のキャリアの第１の時間ユニットでの第１の伝送リソースを決定するように構成され、当該第１の伝送リソースは第１の上りチャネルを受信するために使用され、当該第１の伝送リソースは周波数領域においてＮ個の周波数領域ユニットを占める。ここで、Ｎは正の整数で、Ｎ≧２である。
【０１６７】
通信ユニット４２０は、当該第１の伝送リソースを通じて当該第１の上りチャネルを受信するように構成される。
【０１６８】
一つの選択可能な実現形態で、当該Ｎ個の周波数領域ユニットにおける最初の周波数領域ユニットと最後の周波数領域ユニットの間の周波数領域間隔は、第１の帯域幅以下である。
【０１６９】
一つの選択可能な実現形態で、当該Ｎ個の周波数領域ユニットが占める帯域幅は、第１の帯域幅以下である。
【０１７０】
一つの選択可能な実現形態で、当該第１の帯域幅はＸで、Ｘは次の条件を満たす。
１０＊ｌｇ（Ｘ）＋Ｄ＝Ｐ
ただし、Ｄは当該第１のキャリアでの最大送信電力スペクトル密度を表し、単位はｄＢｍ/ＭＨｚであり、Ｐは当該第１のキャリアでの最大送信電力を表し、単位はＭＨｚであり、Ｘの単位はＭＨｚであり、ｌｇは１０を底とする対数を表す。
【０１７１】
一つの選択可能な実現形態で、当該第１の帯域幅は当該第２の帯域幅よりも小さく、ここで、当該第２の帯域幅は、当該ネットワークデバイスによって当該端末デバイスのために構成される上り伝送用の帯域幅である。
【０１７２】
一つの選択可能な実現形態で、当該Ｎ個の周波数領域ユニットのうちの少なくとも２つの隣接する周波数領域ユニットは、周波数領域で不連続である。
【０１７３】
一つの選択可能な実現形態で、Ｎ＞２で、当該Ｎ個の周波数領域ユニット内の任意の２つの隣接する周波数領域ユニット間の周波数領域間隔が等しい。
【０１７４】
一つの選択可能な実現形態で、当該第１の上りチャネルは、物理ランダムアクセスチャネルＰＲＡＣＨ及び物理上り制御チャネルＰＵＣＣＨのうちの少なくとも１つを含む。
【０１７５】
一つの選択可能な実現形態で、当該第１の伝送リソースは第１のサブキャリア間隔に対応する伝送リソースであり、上記処理ユニット４１０はさらに、以下のように構成される。
【０１７６】
当該第１のキャリアの第２の時間ユニットでの第２の伝送リソースを決定し、当該第２の伝送リソースは第２のサブキャリア間隔に対応する伝送リソースであり、当該第２の伝送リソースは第２の上りチャネルを受信するために使用され、当該第２の伝送リソースは周波数領域においてＮ個の周波数領域ユニットを占有し、ここで、当該第２のサブキャリア間隔は当該第１のサブキャリア間隔より大きい。当該通信ユニット４２０はさらに、前記第２の伝送リソースを通じて前記第２の上りチャネルを受信するように構成される。
【０１７７】
一つの選択可能な実現形態で、当該第１の伝送リソースは第１のサブキャリア間隔に対応する伝送リソースであり、上記処理ユニット４１０はさらに、以下のように構成される。
【０１７８】
当該第１のキャリアの第２の時間ユニットでの第２の伝送リソースを決定し、当該第２の伝送リソースは、第２のサブキャリア間隔に対応する伝送リソースであり、当該第２の伝送リソースは第２の上りチャネルを受信するために使用され、当該第２の伝送リソースは周波数領域においてＭ個の周波数領域ユニットを占有し、Ｍは正の整数で、Ｍ＞Ｎであり、ここで、当該第２のサブキャリア間隔は当該第１のサブキャリア間隔よりも大きい。当該通信ユニット４２０はさらに前記第２の伝送リソースを通じて前記第２の上りチャネルを受信するように構成される。
【０１７９】
一つの選択可能な実現形態で、当該第２の上りチャネルは、物理ランダムアクセスチャネルＰＲＡＣＨ及び物理上り制御チャネルＰＵＣＣＨのうちの少なくとも１つを含む。
【０１８０】
一つの選択可能な実現形態で、上記処理ユニット４１０はさらに、第１の表示情報を決定するように構成され、当該第１の表示情報は当該第１の伝送リソースを決定するために使用され、当該ネットワークデバイスは、当該第１の指示情報を当該端末デバイスに送信するように構成された送信ユニットをさらに含む。
【０１８１】
実装プロセスでは、本発明の実施例における方法の実施例の各ステップは、プロセッサ内のハードウェアの集積論理回路又はソフトウェアの形の命令によって完了することができる。より具体的には、本発明の実施例で開示される方法のステップは、ハードウェア復号化プロセッサによって実行されて完了するか、又は復号化プロセッサ内のハードウェア及びソフトウェアモジュールの組み合わせによって実行されて完了するように直接具体化され得る。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタなどの本分野の成熟した記憶媒体に配置されてもよい。当該記憶媒体はメモリに配置され、プロセッサはメモリ内の情報を読み取り、そのハードウェアと組み合わせて上記方法のステップを完了する。
【０１８２】
本発明の実施例で言及されるプロセッサは、信号処理能力を有する集積回路チップであり得、本発明の実施例で開示される方法、ステップ、及び論理ブロック図を実装又は実行できることを理解されたい。例えば、前述のプロセッサは、汎用プロセッサ、デジタル信号プロセッサ（digital  signal  processor，DSP）、特定用途向け集積回路（application  specific  integrated  circuit，ASIC）、フィールドプログラマブルゲートアレイ（field  programmable  gate  array，FPGA）、又はその他のプログラマブルロジックデバイス、トランジスタロジックデバイス、ディスクリートハードウェアコンポーネントなどであってもよい。なお、汎用プロセッサは、マイクロプロセッサであってもよいし、又は任意の通常のプロセッサ等であってもよい。
【０１８３】
また、本発明の実施例で言及されるメモリは、揮発性メモリ又は不揮発性メモリであってもよいし、揮発性メモリと不揮発性メモリの両方を含んでもよい。ここで、不揮発性メモリは、読み取り専用メモリ（read-only  memory，ROM）、プログラマブル読み取り専用メモリ（programmable  ROM，PROM）、消去可能なプログラマブル読み取り専用メモリ（erasable  PROM，EPROM）、及び電気的に消去可能なプログラマブル読み取り専用メモリ（electrically  EPROM，EEPROM）又はフラッシュメモリであってもよい。揮発性メモリは、外部キャッシュとして使用されるランダムアクセスメモリ（random  access  memory，RAM）であってもよい。上記メモリは例示的なものであって、限定的な説明でないことを理解されたい。例えば、本発明の実施例におけるメモリは、スタティックランダムアクセスメモリ（static  RAM，SRAM）、ダイナミックランダムアクセスメモリ（dynamic  RAM，DRAM）、同期ダイナミックランダムアクセスメモリ（synchronous  DRAM，SDRAM）、ダブルデータレート同期ダイナミックランダムアクセスメモリ（double  data  rate  SDRAM，DDR  SDRAM）、拡張同期ダイナミックランダムアクセスメモリ（enhanced  SDRAM，ESDRAM）、同期接続ダイナミックランダムアクセスメモリ（synch  link  DRAM，SLDRAM）及びダイレクトメモリバスランダムアクセスメモリ（Direct  Rambus  RAM，DR  RAM）などであってもよい。つまり、本明細書で説明されるシステム及び方法のメモリは、これら及び他の任意の適切なタイプのメモリを含むことが意図されているが、これらに限定されない。
【０１８４】
一例として、前述の処理ユニット３１０は、プロセッサによって実装されてもよく、通信ユニット３２０は、トランシーバによって実装されてもよい。具体的には、図１１に示すように、端末デバイス５００は、プロセッサ５１０、トランシーバ５２０、及びメモリ５３０を含み得る。端末デバイス５００は、図１から図８の前述の方法の実施例において端末デバイスによって実装される各プロセスを実装することができ、繰り返しを避けるために、詳細はここで再び説明されない。つまり、本発明の実施例における方法の実施例は、プロセッサ及びトランシーバによって実装され得る。
【０１８５】
別の例として、前述の処理ユニット４１０は、プロセッサによって実装されてもよく、通信ユニット４２０は、トランシーバによって実装されてもよい。具体的には、図１２に示すように、ネットワークデバイス６００は、プロセッサ６１０、トランシーバ６２０、及びメモリ６３０を含み得る。ネットワークデバイス６００は、図１から図８の前述の方法の実施例においてネットワークデバイスによって実装される様々なプロセスを実装することができ、繰り返しを避けるために、詳細はここで再び説明されない。つまり、本発明の実施例における方法の実施例は、プロセッサ及びトランシーバによって実装され得る。
【０１８６】
本出願の実施例はまた、１つ又は複数のプログラムを格納するコンピュータ読み取り可能な記憶媒体を提案し、その１つ又は複数のプログラムは命令を含み、複数のアプリプログラムを含む携帯電子デバイスによって当該命令が実行されると、図１から図８に示される実施例の方法を当該携帯電子デバイスに実行させることができる。
【０１８７】
本出願の実施例はまた、命令を含むコンピュータプログラムを提案し、コンピュータプログラムがコンピュータによって実行されるとき、図２から図４に示される実施例の方法の対応するプロセルをコンピュータに実行させることができる。
【０１８８】
最後に、本発明の実施例及び添付の特許請求の範囲で使用される用語は、特定の実施例を説明することのみを目的とし、本発明の実施例を限定することを意図しないことに留意されたい。
【０１８９】
例えば、本発明の実施例及び添付の特許請求の範囲で使用される単数形である「一つ」、「前記」、「上記」、及び「当該」は、文脈から他の意味を明確に示さない限り、複数形も含むことを意図する。
【０１９０】
当業者であれば、説明の便宜及び簡潔さのために、前述したシステム、装置、及びユニットの具体的な動作プロセスについては、前述の方法の実施例における対応するプロセスを参照することができ、ここで詳細な説明を省略することを理解することができる。
【０１９１】
本出願に提供された幾つかの実施例において、開示されたシステム、装置及び方法は、他の方式で実現されてもよいことを理解されたい。例えば、上述のような装置の実施例は、単なる例にすぎず、例えば、前記ユニットの区分は、単なる論理的な機能による区分であり、実際に実現するときは他の区分方式によってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットの間接的な結合又は通信接続は、電気的、機械的、又は他の形態であってもよい。
【０１９２】
前記分離部材として説明されたユニットは、物理的に分離されてもよく、物理的に分離されなくてもよく、ユニットとして示された部材は、物理的なユニットであってもよく、物理的なユニットでなくてもよく、つまり、あるところに位置してもよく、複数のネットワークユニット上に分散されてもよい。実際の需要に応じて、一部又は全部のユニットを選択し、本発明の実施例の目的を実現することができる。
【０１９３】
なお、本発明の各実施例に係る各機能ユニットは、１つの処理ユニットに集積されていてもよく、各ユニットが個別に物理的に存在していてもよく、２つ又は２つ以上のユニットが１つのユニットに集積されていてもよい。
【０１９４】
前記機能がソフトウェア機能ユニットの形で実現され、且つ独立した製品として販売又は使用される場合には、１つのコンピュータ読み取り可能な記録媒体に格納されることができる。このような理解に基づき、本発明実施例の技術手段は本質的に、従来技術に貢献した部分又は前記技術手段の一部がソフトウェア製品の形で具現化されることができ、前記コンピュータソフトウェア製品は、１つの記録媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。ここで、前述の記憶媒体は、ＵＳＢメモリ、モバイルハードディスク、読み取り専用メモリ、ランダムアクセスメモリ、磁気ディスク、又は光ディスク等のプログラムコードを格納可能な様々な媒体を含む。
【０１９５】
以上は、本発明実施例の好ましい実施例にすぎず、本発明実施例の保護範囲はこれらに限定されない。この技術分野の当業者であれば、いずれも本発明に提示された技術範囲内で、変更又は置き換えを行うことを容易に想到でき、このような変更又は置き換えはいずれも本発明の保護範囲に含まれるべきである。従って、本発明実施例の保護範囲は、特許請求の範囲に従うべきである。
【図１】
2021520708.tif 000003
【図２】
2021520708.tif 000004
【図３】
2021520708.tif 000005
【図４】
2021520708.tif 000006
【図５】
2021520708.tif 000007
【図６】
2021520708.tif 000008
【図７】
2021520708.tif 000009
【図８】
2021520708.tif 000010
【図９】
2021520708.tif 000011
【図１０】
2021520708.tif 000012
【図１１】
2021520708.tif 000013
【図１２】
2021520708.tif 000014
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
端末デバイスが第１のキャリアの伝送帯域幅での第１の伝送リソースを決定するステップと、
前記端末デバイスが前記第１の伝送リソースを通じて第１の上りチャネルを送信するステップ、を含み、
前記第１の伝送リソースは物理上り制御チャネルＰＵＣＣＨを伝送するために使用され、前記第１の伝送リソースは前記伝送帯域幅での第１のサブバンドにおけるＮ個の周波数領域ユニットを含み、前記Ｎ個の周波数領域ユニットには少なくとも周波数領域において不連続である第１の周波数領域ユニットと第２の周波数領域ユニットがあり、かつ、前記第１の周波数領域ユニットと前記第２の周波数領域ユニットとの間には前記Ｎ個の周波数領域ユニットのうちのいずれの周波数領域ユニットも存在せず、Ｎは２以上の正の整数であり、前記伝送帯域幅は前記端末デバイスのためにネットワークデバイスによって構成される上り伝送用の帯域幅であることを特徴とする上りチャネルの送信方法。
【請求項２】
前記端末デバイスが第１のキャリアの伝送帯域幅での第１の伝送リソースを決定するステップは、
前記端末デバイスが前記ネットワークデバイスによって送信された第１の指示情報に従って、前記第１のキャリアの前記伝送帯域幅での前記第１の伝送リソースを決定するステップを含み、
前記第１の指示情報は前記第１の伝送リソースの周波数領域位置を指示するために使用されることを特徴とする請求項１に記載の方法。
【請求項３】
前記伝送帯域幅は前記第１のサブバンド及び第２のサブバンドを含み、前記第１の指示情報は前記第１の伝送リソースが前記第１のサブバンドに位置することを指示するために使用されることを特徴とする請求項２に記載の方法。
【請求項４】
前記第１の指示情報は無線リソース制御ＲＲＣシグナリングであることを特徴とする請求項２又は３に記載の方法。
【請求項５】
前記Ｎ個の周波数領域ユニット内の任意の前記第１の周波数領域ユニットと前記第２の周波数領域ユニットとの間の周波数領域間隔は等しく、
前記第１の伝送リソースに対応するサブキャリア間隔が１５ｋＨｚである場合、前記周波数領域間隔は１０個の周波数領域ユニットであり、
前記第１の伝送リソースに対応するサブキャリア間隔が３０ｋＨｚである場合、前記周波数領域間隔は５個の周波数領域ユニットであることを特徴とする請求項１から４のいずれか一項に記載の方法。
【請求項６】
前記第１の伝送リソースに対応するサブキャリア間隔が１５ｋＨｚである場合、前記第１の伝送リソースはＮ個の周波数領域ユニットを含み、
前記第１の伝送リソースに対応するサブキャリア間隔が３０ｋＨｚである場合、前記第１の伝送リソースはＮ個の周波数領域ユニットを含むことを特徴とする請求項１から５のいずれか一項に記載の方法。
【請求項７】
前記Ｎ個の周波数領域ユニットの間の周波数領域間隔は通信システムによって規定されることを特徴とする請求項１から６のいずれか一項に記載の方法。
【請求項８】
ネットワークデバイスが第１のキャリアの伝送帯域幅での第１の伝送リソースを決定するステップと、
前記ネットワークデバイスが前記第１の伝送リソースを通じて第１の上りチャネルを受信するステップを含み、
前記第１の伝送リソースは物理上り制御チャネルＰＵＣＣＨを伝送するために使用され、前記第１の伝送リソースは前記伝送帯域幅での第１のサブバンドにおけるＮ個の周波数領域ユニットを含み、前記Ｎ個の周波数領域ユニットには少なくとも周波数領域において不連続である第１の周波数領域ユニットと第２の周波数領域ユニットがあり、かつ、前記第１の周波数領域ユニットと前記第２の周波数領域ユニットとの間には前記Ｎ個の周波数領域ユニットのうちのいずれの周波数領域ユニットも存在せず、Ｎは２以上の正の整数であり、前記伝送帯域幅は端末デバイスのためにネットワークデバイスによって構成される上り伝送用の帯域幅であることを特徴とする上りチャネルの受信方法。
【請求項９】
前記ネットワークデバイスが第１の指示情報を決定するステップと、
前記ネットワークデバイスが前記第１の指示情報を前記端末デバイスに送信するステップをさらに含み、
前記第１の指示情報は前記第１の伝送リソースの周波数領域位置を指示するために使用されることを特徴とする請求項８に記載の方法。
【請求項１０】
前記伝送帯域幅は前記第１のサブバンド及び第２のサブバンドを含み、前記第１の指示情報は前記第１の伝送リソースが前記第１のサブバンドに位置することを指示するために使用されることを特徴とする請求項９に記載の方法。
【請求項１１】
前記第１の指示情報は無線リソース制御ＲＲＣシグナリングであることを特徴とする請求項９又は１０に記載の方法。
【請求項１２】
前記Ｎ個の周波数領域ユニット内の任意の前記第１の周波数領域ユニットと前記第２の周波数領域ユニットとの間の周波数領域間隔は等しく、
前記第１の伝送リソースに対応するサブキャリア間隔が１５ｋＨｚである場合、前記周波数領域間隔は１０個の周波数領域ユニットであり、
前記第１の伝送リソースに対応するサブキャリア間隔が３０ｋＨｚである場合、前記周波数領域間隔は５個の周波数領域ユニットであることを特徴とする請求項８から１１のいずれか一項に記載の方法。
【請求項１３】
前記第１の伝送リソースに対応するサブキャリア間隔が１５ｋＨｚである場合、前記第１の伝送リソースはＮ個の周波数領域ユニットを含み、
前記第１の伝送リソースに対応するサブキャリア間隔が３０ｋＨｚである場合、前記第１の伝送リソースはＮ個の周波数領域ユニットを含むことを特徴とする請求項８から１２のいずれか一項に記載の方法。
【請求項１４】
第１のキャリアの伝送帯域幅での第１の伝送リソースを決定するように構成される処理ユニットと、
前記第１の伝送リソースを通じて第１の上りチャネルを送信するように構成される通信ユニットを備え、
前記第１の伝送リソースは物理上り制御チャネルＰＵＣＣＨを伝送するために使用され、前記第１の伝送リソースは前記伝送帯域幅での第１のサブバンドにおけるＮ個の周波数領域ユニットを含み、前記Ｎ個の周波数領域ユニットには少なくとも周波数領域において不連続である第１の周波数領域ユニットと第２の周波数領域ユニットがあり、かつ、前記第１の周波数領域ユニットと前記第２の周波数領域ユニットとの間には前記Ｎ個の周波数領域ユニットのうちのいずれの周波数領域ユニットも存在せず、Ｎは２以上の正の整数であり、前記伝送帯域幅は端末デバイスのためにネットワークデバイスによって構成される上り伝送用の帯域幅であることを特徴とする端末デバイス。
【請求項１５】
第１のキャリアの伝送帯域幅での第１の伝送リソースを決定するように構成される処理ユニットと、
前記第１の伝送リソースを通じて第１の上りチャネルを受信するように構成される通信ユニットを備え、
前記第１の伝送リソースは物理上り制御チャネルＰＵＣＣＨを受信するために使用され、前記第１の伝送リソースは前記伝送帯域幅での第１のサブバンドにおけるＮ個の周波数領域ユニットを含み、前記Ｎ個の周波数領域ユニットには少なくとも周波数領域において不連続である第１の周波数領域ユニットと第２の周波数領域ユニットがあり、かつ、前記第１の周波数領域ユニットと前記第２の周波数領域ユニットとの間には前記Ｎ個の周波数領域ユニットのうちのいずれの周波数領域ユニットも存在せず、Ｎは２以上の正の整数であり、前記伝送帯域幅は端末デバイスのためにネットワークデバイスによって構成される上り伝送用の帯域幅であることを特徴とするネットワークデバイス。
【国際調査報告】
2021520708.tif 000015
2021520708.tif 000016
2021520708.tif 000017
2021520708.tif 000018